(57)【要約】【課題】ケーブルをメスハウジングに収容する際、メス端子がメスハウジングに対してケーブルの周方向に傾くことを抑制するワイヤハーネスを提供する。【解決手段】導体線１２０、及び導体線１２０の外周に絶縁被覆１２１を介して設けられた編組シールド１２２を有するケーブル１２と、導体線１２０に固定されたメス端子３０と、ケーブル１２の一部を収容する収容空間を有する導電性のメスハウジング２と、編組シールド１２２の外周に取り付けられ、編組シールド１２２とメスハウジング２とを電気的に接続するフェルール１３とを備え、フェルール１３は、編組シールド１２２に接続された小径筒部１３０と、メスハウジング２の内面２１ａに接触する大径筒部１３１とを一体に有し、大径筒部１３１には、導体線１２０の周方向に交差する方向に沿って切り欠き１５が形成され、メスハウジング２の内面２１ａには、切り欠き１５と係合してメス端子３０の回転を抑制する突起部２１０が形成されている。【選択図】図４
2014022330.tif 000002
【特許請求の範囲】
【請求項１】
中心導体、及び前記中心導体の外周に設けられたシールド導体を有するケーブルと、
前記ケーブルの前記中心導体に固定された端子と、
前記ケーブルの一部を収容する収容空間を有する導電性のハウジングと、
前記シールド導体の外周に取り付けられ、前記シールド導体と前記ハウジングとを電気的に接続する第１筒状部材とを備え、
前記第１筒状部材は、前記シールド導体に接続された第１小径筒部と、前記ハウジングの内面に接触する第１大径筒部とを一体に有し、
前記第１大径筒部には、前記中心導体の周方向に交差する方向に沿って切り欠きが形成され、
前記ハウジングの前記内面には、前記切り欠きと係合して前記端子の回転を規制する突起部が形成されている、
ワイヤハーネス。
【請求項２】
前記第１筒状部材の前記第１大径筒部には、複数の前記切り欠きが形成され、前記ハウジングの前記内面に弾性的に接触する複数のバネ部が前記複数の切り欠きの間に形成された、
請求項１に記載のワイヤハーネス。
【請求項３】
前記バネ部には、前記ハウジングの前記内面に向かって突出する凸部が形成された、
請求項２に記載のワイヤハーネス。
【請求項４】
前記第１筒状部材の前記切り欠きと前記ハウジングの前記突起部とは、前記ケーブルの周方向における所定の１箇所でのみ係合する、
請求項３に記載のワイヤハーネス。
【請求項５】
前記ケーブルの外周には、前記ケーブルに沿って前記第１筒状部材と並列する第２筒状部材が設けられ、
前記第２筒状部材は、前記ケーブルを加締める第２小径筒部と、前記ハウジングの前記内面に接触する第２大径筒部とを一体に有している、
請求項１乃至４の何れか１項に記載のワイヤハーネス。
【請求項６】
前記第２筒状部材の前記第２大径筒部には、前記第２小径筒部を根元として前記ケーブルに沿って複数の切り欠きが形成されると共に、前記ハウジングの前記内面に弾性的に接触する複数のバネ部が前記複数の切り欠きの間に形成され、
前記第２大径筒部の前記バネ部には、前記ハウジングの前記内面に向かって突出する凸部が形成された、
請求項５に記載のワイヤハーネス。
【請求項７】
前記第１筒状部材と前記第２筒状部材とは、同材質かつ同形状で成形された、
請求項５又は６に記載のワイヤハーネス。
【請求項８】
前記第２筒状部材は、前記端子と前記第１筒状部材との間に配置され、
前記第２筒状部材の前記小径筒部は、前記ケーブルの前記絶縁層を加締め、
前記第１筒状部材の前記切り欠きの前記ケーブルの周方向における位置と前記第２筒状部材の前記切り欠きの前記ケーブルの周方向における位置とが一致している、
請求項５乃至７の何れか１項に記載のワイヤハーネス。
【発明の詳細な説明】
【技術分野】
【０００１】
本発明は、例えば、ハイブリッド車、電気自動車等に用いられ、特に、大容量の電力を伝達する際に使用するワイヤハーネスに関する。
【背景技術】
【０００２】
従来、例えば自動車等が備える電力変換装置等の機器とケーブルとの接続には、機器に取り付けられるオスコネクタ及びケーブルに取り付けられるメスコネクタからなるコネクタ装置が用いられている。そして、ケーブルには編組シールドが設けられており、この編組シールドとメスコネクタのハウジングとの間の導通をとるために、編組シールドの外周にフェルールが加締められたメスコネクタが知られている（例えば、特許文献１参照）。
【０００３】
特許文献１に記載のメスコネクタにおいて、フェルールは、ケーブルを加締めると共に編組シールドと導通するケーブル加締め部と、このケーブル加締め部のケーブルの軸方向における両側に配置された２つのバネ部とを有している。このバネ部は、メスハウジングの円筒内面に向けて弾性を有した円筒状の板バネであり、ケーブルの軸方向に沿って切欠きが形成されて３つ以上に分かれている。分割された各板バネには突起部が形成されており、この突起部を介して、バネ部は常にメスハウジングの円筒内面に接触している。ケーブルは、２箇所に設けられたバネ部でメスハウジングと接して支持されるため、コネクタに振動が加えられた際、ケーブルの揺動がメス端子に伝わることを抑制し、端子表面の磨耗が低減されている。
【先行技術文献】
【特許文献】
【０００４】
【特許文献１】特開２０１０−６１８９１号公報
【発明の概要】
【発明が解決しようとする課題】
【０００５】
しかし、特許文献１に記載のコネクタにおいて、フェルールがメスハウジングに対してケーブルの軸周り方向に回転するおそれがあった。これにより、フェルールが取り付けられているケーブル及びケーブルに接続されたメス端子も、メスハウジングに対してケーブルの周方向に傾く場合があった。オスハウジングとメスハウジングとを嵌合する際、つまり、オス端子とメス端子とを嵌合する際、メス端子がオス端子に対してケーブルの周方向に傾いていると、オス端子とメス端子との良好な接触が得られず、また傾きが大きい場合には、オス端子とメス端子との嵌合が困難になるおそれもあった。
【０００６】
そこで、本発明の目的は、端子がハウジングに対してケーブルの周方向に傾くことを抑制するワイヤハーネスを提供することにある。
【課題を解決するための手段】
【０００７】
本発明は、上記課題を解決することを目的として、中心導体、及び前記中心導体の外周に設けられたシールド導体を有するケーブルと、前記ケーブルの前記中心導体に固定された端子と、前記ケーブルの一部を収容する収容空間を有する導電性のハウジングと、前記シールド導体の外周に取り付けられ、前記シールド導体と前記ハウジングとを電気的に接続する第１筒状部材とを備え、前記第１筒状部材は、前記シールド導体に接続された第１小径筒部と、前記ハウジングの内面に接触する第１大径筒部とを一体に有し、前記第１大径筒部には、前記中心導体の周方向に交差する方向に沿って切り欠きが形成され、前記ハウジングの前記内面には、前記切り欠きと係合して前記端子の回転を規制する突起部が形成されているワイヤハーネスを提供する。
【０００８】
また、前記第１筒状部材の前記第１大径筒部には、複数の前記切り欠きが形成され、前記ハウジングの前記内面に弾性的に接触する複数のバネ部が前記複数の切り欠きの間に形成されているとよい。
【０００９】
また、前記バネ部には、前記ハウジングの前記内面に向かって突出する凸部が形成されているとよい。
【００１０】
また、前記第１筒状部材の前記切り欠きと前記ハウジングの前記突起部とは、前記ケーブルの周方向における所定の１箇所でのみ係合するとよい。
【００１１】
また、前記ケーブルの外周には、前記ケーブルに沿って前記第１筒状部材と並列する第２筒状部材が設けられ、前記第２筒状部材は、前記ケーブルを加締める第２小径筒部と、前記ハウジングの前記内面に接触する第２大径筒部とを一体に有しているとよい。
【００１２】
また、前記第２筒状部材の前記第２大径筒部には、前記第２小径筒部を根元として前記ケーブルに沿って複数の切り欠きが形成されると共に、前記ハウジングの前記内面に弾性的に接触する複数のバネ部が前記複数の切り欠きの間に形成され、前記第２大径筒部の前記バネ部には、前記ハウジングの前記内面に向かって突出する凸部が形成されているとよい。
【００１３】
また、前記第１筒状部材と前記第２筒状部材とは、同材質かつ同形状で成形されているとよい。
【００１４】
また、前記第２筒状部材は、前記端子と前記第１筒状部材との間に配置され、前記第２筒状部材の前記小径筒部は、前記ケーブルの前記絶縁層を加締め、前記第１筒状部材の前記切り欠きの前記ケーブルの周方向における位置と前記第２筒状部材の前記切り欠きの前記ケーブルの周方向における位置とが一致しているとよい。
【発明の効果】
【００１５】
本発明に係るワイヤハーネスによれば、端子がハウジングに対してケーブルの周方向に傾くことを抑制することができる。
【図面の簡単な説明】
【００１６】
【図１】本発明の第１の実施の形態に係るメスコネクタの構成例を示す、斜視図である。
【図２】オスコネクタを示し、（ａ）はオスコネクタのオスハウジングの斜視図、（ｂ）はオスコネクタのオス端子部の斜視図である。
【図３】ケーブルの構成例を示す、斜視図である。
【図４】本発明の第１の実施の形態に係る、オスハウジング及びメスハウジングの嵌合時における断面図である。
【図５】図１のＣ−Ｃ断面図である。
【図６】本発明の第２の実施の形態に係るケーブルの構成例を示す、斜視図である。
【図７】本発明の第２の実施の形態に係る、オスハウジング及びメスハウジングの嵌合時における断面図である。
【発明を実施するための形態】
【００１７】
［第１の実施の形態］
図１は、本発明の第１の実施の形態に係るメスコネクタ１の構成例を示す、斜視図である。
【００１８】
このメスコネクタ１は、複数（本実施の形態では３本）のケーブル１２の一部を収容する収容空間を有する導電性のメスハウジング２を備えている。メスハウジング２は、例えばアルミニウム合金等の金属をダイカスト成形して形成されている。
【００１９】
メスハウジング２には、Ｄ矢視方向から見た形状において、四隅が丸みを帯びた長方形状の筒部２０が形成されている。筒部２０には、メス端子部３が収容されている。メス端子部３は、複数のメス端子３０（本実施の形態では３つ）と、複数のメス端子３０を収容するインナハウジング３１とから構成されている。複数のメス端子３０は、メスハウジング２の筒部２０内に、その長方形状における長辺方向に沿って配置されている。また、メスハウジング２は、複数のメス端子３０が先端部に接続された複数のケーブル１２の一部が収容される円筒部２１を筒部２０と一体に有している。
【００２０】
メスハウジング２には、メスハウジング２に対して回動可能に支持され、オスコネクタのオスハウジング８との嵌合を促進し、嵌合の後は嵌合状態を保持するレバー４と、レバー４を固定するロック部５とが設けられている。
【００２１】
また、筒部２０の長方形状における短辺方向には、後述するオスハウジング８に設けられたリブ８２及びガイド部材１０を滑らせながら挿入させるスライド直線孔２３と、外方に突出してレバー４を支持するレバー軸２４とが形成されている。筒部２０の長辺方向における開口端部２２には、メスハウジング２とオスハウジング８との間のガタツキを抑制するためのスペーサ６が取り付けられている。
【００２２】
図２は、オスコネクタ９を示し、（ａ）はオスコネクタ９のオスハウジング８の斜視図、（ｂ）はオスコネクタ９のオス端子部７の斜視図である。
【００２３】
オスコネクタ９は、メスコネクタ１のメスハウジング２と嵌合する図２（ａ）に示す導電性のオスハウジング８を備えている。オスハウジング８には、Ｅ矢視方向から見た形状において、四隅が丸みを帯びた長方形状の筒部８０が形成されている。また、オスハウジング８は、筒部８０と、オスハウジング８と被取付部材との間をシールするシール部材１１を保持するシール保持部８１とを一体に有している。
【００２４】
図２（ｂ）に示すように、筒部８０には、複数（本実施の形態では３つ）のオス端子７０、及び複数のオス端子７０を収容して保持するインナハウジング７１から構成されるオス端子部７が収容されている。オスハウジング８とメスハウジング２とを嵌合させると、複数のオス端子７０が複数のメス端子３０と電気的に接続される。インナハウジング７１には複数（本実施の形態では６つ）の爪部７１ａが形成されている。爪部７１ａは、オスハウジング８のシール保持部８１の内側の長辺方向に形成された複数（本実施の形態では６つ）の係止部８４にそれぞれ係止される。
【００２５】
筒部８０の短辺方向には、メスコネクタ１のメスハウジング２との嵌合方向に沿って延びるリブ８２と、リブ８２から外方に突出したカムピン８３とが設けられている。また、リブ８２の外周には、樹脂（例えば、高耐熱ナイロンＰＡ６Ｔ等）からなるガイド部材１０が設けられている。
【００２６】
メスハウジング２とオスハウジング８との着脱操作は、レバー４を、レバー軸２４を中心にして図１中の矢印Ａ方向に倒すことにより実施される。
【００２７】
より詳細には、オスハウジング８をメスハウジング２に装着する際に、リブ８２及びガイド部材１０をスライド直線孔２３に滑らせながら挿入し、レバー４を矢印Ａ方向に倒す。その際、レバー４の持ち手の両側面に設けられたスライド湾曲孔４０が図１中の矢印Ｂ方向へ動き、カムピン８３がスライド湾曲孔４０に係止される。オスハウジング８をメスハウジング２から離脱させる際には、レバー４を矢印Ａと反対方向に倒し、スライド直線孔２３からリブ８２及びガイド部材１０を滑らせながら抜き取る。
【００２８】
図３は、ケーブル１２の構成例を示す、斜視図である。
【００２９】
ケーブル１２は、先端部にメス端子３０が接続された中心導体としての導体線１２０と、導体線１２０の外周に設けられた絶縁層としての絶縁被覆１２１と、絶縁被覆１２１の外周に設けられた後述するシールド導体としての編組シールド１２２と、編組シールド１２２の外周に設けられたシース１２３とからなる。
【００３０】
メス端子３０は、オス端子７０と嵌合する直方体形状の本体部３００と、導体線１２０を加締める加締め部３０１とを一体に有している。
【００３１】
ケーブル１２の編組シールド１２２の外周には、編組シールド１２２とメスハウジング２とを電気的に接続する導電性の第１筒状部材としてのフェルール１３が取り付けられている。フェルール１３は、編組シールド１２２を加締めるケーブル１２の軸方向から見た形状が多角形（本実施の形態では正六角形）の小径筒部１３０と、メスハウジング２の円筒部２１の内面２１ａに接触する大径筒部１３１とを一体に有している。大径筒部１３１は、小径筒部１３０よりも大径に形成されている。
【００３２】
小径筒部１３０と編組シールド１２２との間には、導電性を有する環状のリング１４ａが介在している。小径筒部１３０からメス端子３０の加締め部３０１までの距離は、例えば１０ｍｍ〜２０ｍｍ程度である。
【００３３】
大径筒部１３１には、小径筒部１３０側を根元として導体線１２０の周方向に交差する方向に沿って延びる複数（本実施の形態では４つ）の切り欠き１５が形成されている。より具体的には、複数の切り欠き１５は、導体線１２０の軸方向に沿って延びるように形成されている。また、大径筒部１３１には、メスハウジング２の円筒部２１の内面２１ａに弾性的に接触する板状の複数（本実施の形態では４つ）のバネ部１６が切り欠き１５の間に形成されている。つまり、４つのバネ部１６は、メス端子３０と反対側で小径筒部１３０と連結している。それぞれのバネ部１６には、円筒部２１の内面２１ａに向かって突出する凸部１７が形成されている。
【００３４】
図４は、本発明の第１の実施の形態に係る、オスハウジング８及びメスハウジング２の嵌合時における断面図である。なお、レバー４、ロック部５、及びスペーサ６は省略している。
【００３５】
メス端子３０の本体部３００には、メスハウジング２の上面側に弾性を有する金属製のバネ部材３２が取り付けられている。バネ部材３２は、本体部３００の底面内側に、ケーブル１２の軸方向に沿って延びるように形成された凸部３００ａに向かってたわんでいる。オスハウジング８がメスハウジング２に嵌合すると、オス端子７０は、バネ部材３２と凸部３００ａとの間に挿入され、バネ部材３２によって凸部３００ａに押し付けられる。
【００３６】
また、オスハウジング８とメスハウジング２を嵌合すると、メスハウジング２の円筒部２１におけるメス端子部３側の先端部に設けられた環状の第１のシール部材１８の外周面１８ａと、オスハウジング８の筒部８０の内面８０ａとが接触する。つまり、第１のシール部材１８によって、オスハウジング８とメスハウジング２との間がシールされ、水等の浸入を防いでいる。
【００３７】
メスハウジング２の円筒部２１の内面２１ａには、フェルール１３の切り欠き１５と係合する複数（本実施の形態では４つ）の突起部２１０が形成されている。円筒部２１のメス端子部３と反対側の先端部には、環状の第２のシール部材１９が設けられている。第２のシール部材１９の外周面１９ａは円筒部２１の内面２１ａと接し、第２のシール部材１９の内周面１９ｂはケーブル１２のシース１２３の外周面１２３ａと接している。つまり、第２のシール部材１９によって、メスハウジング２とケーブル１２との間がシールされ、水等の浸入を防いでいる。
【００３８】
ケーブル１２の編組シールド１２２は、フェルール１３の小径筒部１３０の内部にて、リング１４ａをその内周側及び外周側から挟むようにメス端子３０の反対側に向かって折り返され、その外側から小径筒部１３０によって加締められている。
【００３９】
図５は、図１のＣ−Ｃ断面図である。図５では、４つのバネ部１６を第１乃至第４のバネ部１６ａ〜１６ｄとし、４つの突起部２１０を第１乃至第４の突起部２１０ａ〜２１０ｄとして示している。
【００４０】
フェルール１３の第１乃至第４のバネ部１６ａ〜１６ｄのうち、第２のバネ部１６ｂ及び第３のバネ部１６ｃは周方向の長さが同じ大きさに形成され、第１のバネ部１６ａは第２のバネ部１６ｂ及び第３のバネ部１６ｃよりも周方向の長さが小さく形成され、第４のバネ部１６ｄは第２のバネ部１６ｂ及び第３のバネ部１６ｃよりも周方向の長さが大きく形成されている。
【００４１】
４つの切り欠き１５に係合する４つの第１乃至第４の突起部２１０ａ〜２１０ｄのうち、第１のバネ部１６ａと第２のバネ部１６ｂとの間に係合する第２の突起部２１０ｂと、第３のバネ部１６ｃと第４のバネ部１６ｄとの間に係合する第４の突起部２１０ｄとは、フェルール１３の中心軸に対して対称な位置に形成されている。一方、第１のバネ部１６ａと第４のバネ部１６ｄとの間に係合する第１の突起部２１０ａと、第２のバネ部１６ｂと第３のバネ部１６ｃとの間に係合する第３の突起部２１０ｃとは、フェルール１３の中心軸に対して対称な位置には形成されていない。つまり、第１の突起部２１０ａは、第３の突起部２１０ｃのフェルール１３の中心軸に対して対称な位置から、例えば５°〜１０°程度、時計回りの方向にずれて配置されている。従って、突起部２１０を切り欠き１５に係止する際、ケーブル１２の周方向における所定の１箇所でのみ係合する。
【００４２】
（第１の実施の形態の作用及び効果）
以上説明した第１の実施の形態によれば、以下のような作用及び効果が得られる。
【００４３】
（１）ケーブル１２の編組シールド１２２がフェルール１３の小径筒部１３０で加締められているため、フェルール１３に対してケーブル１２を軸方向に固定することが可能である。さらに、大径筒部１３１の切り欠き１５がメスハウジング２の円筒部２１の内面２１ａに形成された突起部２１０に係合することにより、メス端子３０のメスハウジング２に対するケーブル１２の周方向の回転を規制することができる。これにより、オス端子７０とメス端子３０とを嵌合する際、オス端子７０とメス端子３０とを円滑に嵌合することができると共に、オス端子７０が凸部３００ａとバネ部材３２との間にてメス端子３０と良好に接触する。
【００４４】
（２）フェルール１３の大径筒部１３１には、４つのバネ部１６ａ〜１６ｄが切り欠き１５の間に形成されている。バネ部１６ａ〜１６ｄそれぞれがメスハウジング２の円筒部２１の内面２１ａに弾性的に接触するため、ケーブル１２の編組シールド１２２とメスハウジング２との間の通電が良好になる。
【００４５】
（３）バネ部１６ａ〜１６ｄには、メスハウジング２の円筒部２１の内面２１ａに向かって突出する凸部１７が形成されているため、バネ部１６ａ〜１６ｄと内面２１ａとが接触し易くなり、ケーブル１２の編組シールド１２２とメスハウジング２との間の通電がさらに良好になる。
【００４６】
（４）メスハウジング２の円筒部２１の内面２１ａに形成された４つの突起部２１０ａ〜２１０ｄがケーブル１２の周方向において対称的に配置されていないため、ケーブル１２はメスハウジング２に対して所定の１箇所でのみ係合する。これにより、ケーブル１２をメスハウジング２に取り付ける際、取り付ける方向の間違えを防止することができる。なお、それぞれ異なる大きさに形成された突起部２１０ａ〜２１０ｄをケーブル１２の周方向において対称的に配置した場合でも、同様の効果を得ることが可能である。
【００４７】
［第２の実施の形態］
図６は、本発明の第２の実施の形態に係るケーブル１２の構成例を示す、斜視図である。
【００４８】
本実施の形態に係るワイヤハーネスは、ケーブル１２の外周に第２筒状部材としてのフェルール５０が取り付けられている。それ以外の構成は第１の実施の形態に係るワイヤハーネスと共通であるので、同一の機能を有する部材については共通する符号を付し、その重複した説明を省略する。
【００４９】
ケーブル１２の外周には、ケーブル１２の軸方向に沿ってフェルール１３と並列するフェルール５０が設けられている。フェルール５０は、メス端子３０とフェルール１３との間に配置されている。フェルール５０は、フェルール１３と同材質かつ同形状で成形されており、絶縁被覆１２１を加締めるケーブル１２の軸方向から見た形状が多角形（本実施の形態では正六角形）の小径筒部５００と、メスハウジング２の円筒部２１の内面２１ａに接触する大径筒部５０１とを一体に有している。小径筒部５００と絶縁被覆１２１との間には、環状のリング１４ｂが介在している。小径筒部５００からメス端子３０の加締め部３０１までの距離は、例えば１０ｍｍ〜２０ｍｍ程度である。本実施の形態では、フェルール１３とフェルール５０との間に隙間はなく、フェルール１３の大径筒部１３１がフェルール５０の小径筒部５００を覆っている。
【００５０】
大径筒部５０１には、小径筒部５００側を根元として導体線１２０の周方向に交差する方向に沿って延びる複数（本実施の形態では４つ）の切り欠き５１が形成されている。より具体的には、複数の切り欠き５１は、導体線１２０の軸方向に沿って延びるように形成されている。また、大径筒部５０１には、メスハウジング２の円筒部２１の内面２１ａに弾性的に接触する板状の複数（本実施の形態では４つ）のバネ部５２が切り欠き５１の間に形成されている。フェルール１３と同様に、４つのバネ部５２は、メス端子３０と反対側で小径筒部５００と連結している。それぞれのバネ部５２には、円筒部２１の内面２１ａに向かって突出する凸部５３が形成されている。フェルール１３の切り欠き１５とフェルール５０の切り欠き５１との位置関係、及びフェルール１３のバネ部１６とフェルール５０のバネ部５２との位置関係は、ケーブル１２の周方向において一致している。
【００５１】
図７は、本発明の第２の実施の形態に係る、オスハウジング８及びメスハウジング２の嵌合時における断面図である。なお、レバー４、ロック部５、及びスペーサ６は図示を省略している。
【００５２】
ケーブル１２がメスハウジング２に挿入された状態において、フェルール５０はメス端子３０側に配置され、第２のシール部材１９はフェルール１３を介してフェルール５０と反対側に配置される。編組シールド１２２は、フェルール１３の小径筒部１３０で折り返されるため、フェルール５０の小径筒部５００では絶縁被覆１２１が剥き出しとなっている。
【００５３】
フェルール５０の小径筒部５００は、この絶縁被覆１２１を加締めている。切り欠き１５のケーブル１２の周方向における位置と切り欠き５１のケーブル１２の周方向における位置とが一致しているため、突起部２１０はフェルール１３の切り欠き１５とのみ係合している。
【００５４】
（第２の実施の形態の作用及び効果）
第２の実施の形態によっても、第１の実施の形態について述べた（１）〜（４）の作用及び効果と同様の作用及び効果に加え、以下の作用及び効果がある。
【００５５】
（５）ケーブル１２の外周にフェルール５０を設けることにより、フェルール１３及びフェルール５０の両方でケーブル１２を支持することができる。これにより、メスハウジング２内でのケーブル１２の保持力が向上する。
【００５６】
（６）フェルール５０の大径筒部５０１に形成されたバネ部５２がメスハウジング２の円筒部２１の内面２１ａに弾性的に接触するため、円筒部２１の内部において、メス端子３０、フェルール１３、及びケーブル１２の動きが規制される。つまり、メスハウジング２とメス端子３０との間のガタツキを抑制することが可能である。
【００５７】
（７）フェルール１３とフェルール５０とは同材質かつ同形状で成形されているため、フェルール５０を別工程で製造する必要がない。これにより、作業効率が上がり、コスト削減につながる。
【００５８】
（８）フェルール５０の小径筒部５００はケーブル１２の絶縁被覆１２１を加締めているため、フェルール５０が導体線１２０に対して周方向に回転しにくい。さらに、切り欠き１５のケーブル１２の周方向における位置と切り欠き５１のケーブル１２の周方向における位置とが一致しているため、メスハウジング２の円筒部２１の内面２１ａに形成された突起部２１０が切り欠き１５と係合し易い。
【００５９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６０】
例えば、実施の形態において、メスコネクタ１はレバー４を有していなくてもよい。
【００６１】
また、切り欠き１５と切り欠き５１とは、同数形成されていればそれらの数に制限はない。同様に、メスハウジング２に形成された突起部２１０も、切り欠き１５と同数であれば数に制限はない。
【００６２】
また、メスハウジング２の円筒部２１の内面２１ａに形成された突起部２１０は、凸部ではなく凹部でもよい。その場合、切り欠き１５及び切り欠き５１は切り欠きではなく突起となる。
【００６３】
また、第１筒状部材の小径筒部１３０及びフェルール５０の小径筒部５００は、多角形でなくてもよい。
【００６４】
また、フェルール５０は、メス端子３０とフェルール１３との間に配置されていなくてもよい。
【００６５】
また、フェルール５０の小径筒部５００は、絶縁被覆１２１を加締めていなくてもよい。例えば、シース１２３を加締めていてもよい。
【００６６】
また、突起部２１０のケーブル１２の周方向における位置は、切り欠き１５と突起部２１０とが所定の１箇所でのみ係合すればどのような位置に形成されていてもよい。
【００６７】
また、フェルール１３及びフェルール５０は、メスコネクタ１ではなくオスコネクタ９に設けられていてもよい。
【符号の説明】
【００６８】
１…メスコネクタ、２…メスハウジング、３…メス端子部、４…レバー、５…ロック部、６…スペーサ、７…オス端子部、８…オスハウジング、９…オスコネクタ、１０…ガイド部材、１１…シール部材、１２…ケーブル、１３…フェルール（第１筒状部材）、１４ａ，１４ｂ…リング、１５…切り欠き、１６，１６ａ，１６ｂ，１６ｃ，１６ｄ…バネ部、１７…凸部、１８…第１のシール部材、１８ａ…外周面、１９…第２のシール部材、１９ａ…外周面、１９ｂ…内周面、２０…筒部、２１…円筒部、２１ａ…内面、２２…開口端部、２３…スライド直線孔、２４…レバー軸、３０…メス端子、３１…インナハウジング、３２…バネ部材、４０…スライド湾曲孔、５０…フェルール（第２筒状部材）、５１…切り欠き、５２…バネ部、５３…凸部、７０…オス端子、７１…インナハウジング、７１ａ…爪部、８０…筒部、８０ａ…内面、８１…シール保持部、８２…リブ、８３…カムピン、８４…係止部、１２０…導体線（中心導体）、１２１…絶縁被覆（絶縁層）、１２２…編組シールド（シールド導体）、１２３…シース、１２３ａ…外周面、１３０…小径筒部、１３１…大径筒部、２１０，２１０ａ，２１０ｂ，２１０ｃ，２１０ｄ…突起部、３００…本体部、３００ａ…凸部、３０１…加締め部、５００…小径筒部、５０１…大径筒部
【図１】
2014022330.tif 000003
【図２】
2014022330.tif 000004
【図３】
2014022330.tif 000005
【図４】
2014022330.tif 000006
【図５】
2014022330.tif 000007
【図６】
2014022330.tif 000008
【図７】
2014022330.tif 000009